(57)【要約】【課題】情報の読み取り対象となっている情報記録媒体の種類を識別することのできる情報読取装置とその制御方法を提供する。【解決手段】パスポート２Ａの見開き面の一方の面及びＩＤカード２Ｂの全体のいずれか一方が載置されるガラス板３を含む媒体挿入部１６を有し、媒体挿入部１６に挿入された情報記録媒体２から光学的に情報を読み取る情報読取装置１は、ガラス板３の端部に設定される識別用領域３Ａを少なくとも撮像する撮像素子８と、撮像素子８から出力される識別用領域３Ａの画像データに基づいて識別用領域３Ａに物体が重なっているか否かを判定し、当該判定の結果に基づいて、ガラス板３に載置されている情報記録媒体２がパスポート２ＡとＩＤカード２Ｂのどちらであるかを識別するシステム制御部４０と、を備える。【選択図】図１０
2019193090.tif 000002
【特許請求の範囲】
【請求項１】
冊子状の第一情報記録媒体とカード状の第二情報記録媒体とを含む情報記録媒体が挿入される媒体挿入部を有し、前記媒体挿入部に挿入された前記情報記録媒体から光学的に情報を読み取る情報読取装置であって、
前記媒体挿入部は、前記第一情報記録媒体の見開き面の一方の面及び前記第二情報記録媒体の全体のいずれか一方が載置される第一載置部を有し、
前記第一載置部における前記情報記録媒体の挿入方向の幅は、前記第二情報記録媒体の前記挿入方向の幅よりも大きく、
前記第一載置部に前記第一情報記録媒体の前記一方の面が載置された状態にて当該第一情報記録媒体の前記見開き面の境界部側に位置する前記第一載置部の端部、に設定される識別用領域を少なくとも撮像する撮像素子と、
前記撮像素子から出力される前記識別用領域の画像データに基づいて前記識別用領域に物体が重なっているか否かを判定し、当該判定の結果に基づいて、前記第一載置部に載置されている前記情報記録媒体が前記第一情報記録媒体と前記第二情報記録媒体のどちらであるかを識別する媒体識別部と、を備える情報読取装置。
【請求項２】
請求項１記載の情報読取装置であって、
前記媒体識別部は、前記識別用領域に物体が重なっていないと判定した場合に、前記第一載置部に載置されている前記情報記録媒体が前記第二情報記録媒体であると識別する情報読取装置。
【請求項３】
請求項２記載の情報読取装置であって、
前記媒体識別部は、前記識別用領域に物体が重なっていると判定した場合に、前記第一載置部に載置されている前記情報記録媒体が前記第一情報記録媒体であると識別する情報読取装置。
【請求項４】
請求項２記載の情報読取装置であって、
前記第一情報記録媒体の前記挿入方向に直交する方向の幅は、前記第二情報記録媒体の前記方向の幅よりも広くなっており、
前記識別用領域は、前記方向に沿って設定され、前記識別用領域の前記方向の幅は、前記第二情報記録媒体の前記方向の幅よりも大きくなっており、
前記媒体識別部は、更に、前記画像データに基づいて、前記識別用領域における物体と重なる部分の前記方向の長さを算出し、前記識別用領域に物体が重なっていると判定し、且つ、当該物体の前記長さが予め決められた閾値を超えている場合に、前記第一載置部に載置されている前記情報記録媒体が前記第一情報記録媒体であると識別する情報読取装置。
【請求項５】
請求項１から４のいずれか１項記載の情報読取装置であって、
前記媒体挿入部に挿入された前記第一情報記録媒体における前記第一載置部に載置された部分を除く部分が載置される第二載置部を更に備え、
前記第一情報記録媒体は、前記第二載置部に載置される前記部分に非接触通信用のアンテナを含み、
前記第二載置部に設けられた非接触通信用のアンテナを更に備え、
前記媒体識別部は、前記第二載置部の前記アンテナによって前記第一情報記録媒体の前記アンテナとの通信が開始された場合には、前記第一載置部に載置されている前記情報記録媒体が前記第一情報記録媒体であると識別する情報読取装置。
【請求項６】
請求項５記載の情報読取装置であって、
前記媒体識別部は、前記第二載置部の前記アンテナによって前記第一情報記録媒体の前記アンテナとの通信が開始された場合には、前記画像データに基づく前記識別の処理を行わない情報読取装置。
【請求項７】
請求項１から６のいずれか１項記載の情報読取装置であって、
前記識別用領域は、前記挿入方向に直交する方向に沿って設定された直線状の領域である情報読取装置。
【請求項８】
請求項７記載の情報読取装置であって、
前記識別用領域の前記挿入方向に直交する前記方向の幅は、前記第一情報記録媒体の当該方向の幅よりも広い情報読取装置。
【請求項９】
請求項１から８のいずれか１項記載の情報読取装置であって、
前記第一載置部に載置された前記情報記録媒体を前記撮像素子によって撮像し、当該撮像によって前記撮像素子から出力される画像データに含まれる情報を読み取り結果として出力する情報読取装置。
【請求項１０】
冊子状の第一情報記録媒体とカード状の第二情報記録媒体とを含む情報記録媒体が挿入される媒体挿入部を有し、前記媒体挿入部に挿入された前記情報記録媒体から光学的に情報を読み取る情報読取装置の制御方法であって、
前記媒体挿入部は、前記第一情報記録媒体の見開き面の一方の面及び前記第二情報記録媒体の全体のいずれか一方が載置される第一載置部を有し、
前記第一載置部における前記情報記録媒体の挿入方向の幅は、前記第二情報記録媒体の前記挿入方向の幅よりも広く、
前記第一載置部に前記第一情報記録媒体の前記一方の面が載置された状態にて当該第一情報記録媒体の前記見開き面の境界部側に位置する前記第一載置部の端部、に設定される識別用領域を少なくとも撮像する撮像ステップと、
前記撮像ステップによって得られる前記識別用領域の画像データに基づいて前記識別用領域に物体が重なっているか否かを判定し、当該判定の結果に基づいて、前記第一載置部に載置されている前記情報記録媒体が前記第一情報記録媒体と前記第二情報記録媒体のどちらであるかを識別する媒体識別ステップと、を備える情報読取装置の制御方法。
【発明の詳細な説明】
【技術分野】
【０００１】
本発明は、冊子状の情報記録媒体に記録された情報とカード状の情報記録媒体とに記録された情報とを光学的に読み取ることのできる情報読取装置とその制御方法に関する。
【背景技術】
【０００２】
特許文献１には、情報記録媒体に記録された情報を光学的に読み取ることのできる情報読取装置が記載されている。この情報読取装置は、パスポート等の冊子状の情報記録媒体と、ＩＤカード等のカード状の情報記録媒体とのそれぞれから情報を読み取ることができるようになっている。
【先行技術文献】
【特許文献】
【０００３】
【特許文献１】特開２０１８−２６８０４号公報
【発明の概要】
【発明が解決しようとする課題】
【０００４】
特許文献１に記載された情報読取装置のように、形状の異なる複数種類の情報記録媒体から情報を読み取ることのできる装置においては、情報記録媒体の種類毎に、例えば情報の読み取り方法を変えたり、読み取った情報の上位装置への出力方法を変えたりするといった制御の変更が必要になる場合がある。この制御の変更を行うためには、情報記録媒体の種類を識別する必要がある。
【０００５】
特許文献１には、情報記録媒体の種類を識別することの必要性やその方法については記載されていない。
【０００６】
本発明は、上記事情に鑑みてなされたものであり、情報の読み取り対象となっている情報記録媒体の種類を簡易に識別することのできる情報読取装置とその制御方法を提供することを目的としている。
【課題を解決するための手段】
【０００７】
本発明の情報読取装置は、冊子状の第一情報記録媒体とカード状の第二情報記録媒体とを含む情報記録媒体が挿入される媒体挿入部を有し、前記媒体挿入部に挿入された前記情報記録媒体から光学的に情報を読み取る情報読取装置であって、前記媒体挿入部は、前記第一情報記録媒体の見開き面の一方の面及び前記第二情報記録媒体の全体のいずれか一方が載置される第一載置部を有し、前記第一載置部における前記情報記録媒体の挿入方向の幅は、前記第二情報記録媒体の前記挿入方向の幅よりも大きく、前記第一載置部に前記第一情報記録媒体の前記一方の面が載置された状態にて当該第一情報記録媒体の前記見開き面の境界部側に位置する前記第一載置部の端部、に設定される識別用領域を少なくとも撮像する撮像素子と、前記撮像素子から出力される前記識別用領域の画像データに基づいて前記識別用領域に物体が重なっているか否かを判定し、当該判定の結果に基づいて、前記第一載置部に載置されている前記情報記録媒体が前記第一情報記録媒体と前記第二情報記録媒体のどちらであるかを識別する媒体識別部と、を備えるものである。
【０００８】
本発明の情報読取装置の制御方法は、冊子状の第一情報記録媒体とカード状の第二情報記録媒体とを含む情報記録媒体が挿入される媒体挿入部を有し、前記媒体挿入部に挿入された前記情報記録媒体から光学的に情報を読み取る情報読取装置の制御方法であって、前記媒体挿入部は、前記第一情報記録媒体の見開き面の一方の面及び前記第二情報記録媒体の全体のいずれか一方が載置される第一載置部を有し、前記第一載置部における前記情報記録媒体の挿入方向の幅は、前記第二情報記録媒体の前記挿入方向の幅よりも広く、前記第一載置部に前記第一情報記録媒体の前記一方の面が載置された状態にて当該第一情報記録媒体の前記見開き面の境界部側に位置する前記第一載置部の端部、に設定される識別用領域を少なくとも撮像する撮像ステップと、前記撮像ステップによって得られる前記識別用領域の画像データに基づいて前記識別用領域に物体が重なっているか否かを判定し、当該判定の結果に基づいて、前記第一載置部に載置されている前記情報記録媒体が前記第一情報記録媒体と前記第二情報記録媒体のどちらであるかを識別する媒体識別ステップと、を備えるものである。
【発明の効果】
【０００９】
本発明によれば、情報の読み取り対象となっている情報記録媒体の種類を簡易に識別することのできる情報読取装置とその制御方法を提供することができる。
【図面の簡単な説明】
【００１０】
【図１】本発明の一実施形態である情報読取装置１の斜視図である。
【図２】図１に示す情報読取装置１のガラス板３、カバー部材１５、及び照明４，５を抜き出して示す斜視図である。
【図３】図２に示すガラス板３、カバー部材１５、及び照明４，５の正面図である。
【図４】図１に示す情報読取装置１の内部の光路を説明するための側面図である。
【図５】図１に示す情報読取装置１のシャッタ機構１４の動作を説明するための側面図である。
【図６】図２に示すガラス板３を上下方向且つ上面部１５ａ側から見た平面模式図である。
【図７】図２に示すガラス板３にＩＤカード２Ｂが載置された状態を上下方向且つ上面部１５ａ側から見た平面模式図である。
【図８】図２に示すガラス板３にパスポート２Ａが載置された状態を上下方向且つ上面部１５ａ側から見た平面模式図である。
【図９】図１に示す情報読取装置１の内部構成を示すブロック図である。
【図１０】図９に示すシステム制御部４０による情報記録媒体２の識別動作を説明するためのフローチャートである。
【図１１】ガラス板３に何も載置されていない状態にて、ステップＳ２にて行われる撮像と同一条件にてガラス板３を撮像した場合に得られる識別用領域３Ａの画像データのラインデータの一例を示す図である。
【図１２】図８に示す状態にてステップＳ２の撮像によって得られる識別用領域３Ａのラインデータの一例を示す図である。
【図１３】図７（Ｂ）に示す状態にてステップＳ２の撮像によって得られる識別用領域３Ａのラインデータの一例を示す図である。
【図１４】図９に示すシステム制御部４０による情報記録媒体２の識別動作の変形例を説明するためのフローチャートである。
【図１５】図９に示すシステム制御部４０による情報記録媒体２の識別動作の変形例を説明するためのフローチャートである。
【図１６】識別用領域３Ａの形状の変形例を示す図である。
【図１７】識別用領域３Ａの形状の変形例を示す図である。
【発明を実施するための形態】
【００１１】
以下、図面を参照しながら、本発明の実施の形態を説明する。
【００１２】
（情報読取装置の概略構成）
図１は、本発明の一実施形態である情報読取装置１の斜視図である。図２は、図１に示す情報読取装置１のガラス板３、カバー部材１５、及び照明４，５を抜き出して示す斜視図である。図３は、図２に示すガラス板３、カバー部材１５、及び照明４，５の正面図である。図４は、図１に示す情報読取装置１の内部の光路を説明するための側面図である。図５は、図１に示す情報読取装置１のシャッタ機構１４の動作を説明するための側面図である。
【００１３】
情報読取装置１は、情報記録媒体２に記録された情報を光学的に読み取る装置である。すなわち、情報読取装置１は、情報記録媒体２に印刷等された文字や図形等を読み取る装置である。この情報読取装置１は、手動式の読取装置であり、情報読取装置１への情報記録媒体２の挿入と情報読取装置１からの情報記録媒体２の抜取りとが手動で行われる。また、情報読取装置１は、比較的小さな卓上型の読取装置である。情報読取装置１で読み取られる情報記録媒体２は、冊子状の第一情報記録媒体の一例であるパスポート２Ａ（図１参照）と、カード状の第二情報記録媒体の一例であるＩＤカード２Ｂ（図３参照）である。パスポート２Ａ及びＩＤカード２Ｂには、所有者の顔写真と生年月日を含む個人情報等が印刷された情報記録面が設けられている。
【００１４】
パスポート２Ａは、複数枚の紙を綴じた冊子であり、図１に示すように、表紙２ｓの裏面である情報記録面２ｓａと、表紙２ｓの隣の頁であって表紙２ｓの情報記録面２ｓａと対面する頁面２ｓｂとによって構成される見開き面のうちの情報記録面２ｓａに記録された情報（顔写真と個人情報等）が情報読取装置１で光学的に読み取られる。パスポート２Ａのこの見開き面のうち、情報記録面２ｓａは一方の面を構成し、頁面２ｓｂは他方の面を構成する。
【００１５】
パスポート２Ａの背表紙２ｂには、非接触通信によって情報を読み取ることのできる非接触通信用ＩＣ（Ｉｎｔｅｇｒａｔｅｄ  Ｃｉｒｃｕｉｔ）及び非接触通信用のアンテナが内蔵されている。
【００１６】
ＩＤカード２Ｂは、矩形状且つ板状のカード状の媒体である。ＩＤカード２Ｂは、ＩＤカード２Ｂの両面が情報記録面となっており、情報記録面に記録された情報（顔写真と個人情報等）が情報読取装置１で光学的に読み取られる。
【００１７】
パスポート２Ａは、表紙２ｓを開き上記の見開き面が見える状態で情報読取装置１に挿入される。開いた状態で情報読取装置１に挿入されたパスポート２Ａの表紙２ｓの厚さ方向と、情報読取装置１に挿入されたＩＤカード２Ｂの厚さ方向を、それぞれ上下方向という。なお、図４では、説明の便宜上、パスポート２ＡとＩＤカード２Ｂとが一緒に情報読取装置１に挿入されているが、実際には、パスポート２Ａ及びＩＤカード２Ｂのいずれか一方が情報読取装置１に挿入される。
【００１８】
以下の説明では、情報読取装置１への情報記録媒体２の挿入方向側（図１等の方向Ｙ２側）を「奥」側または「後ろ」側とし、情報読取装置１からの情報記録媒体２の抜取り方向側（図１等の方向Ｙ１側）を「前」側とする。また、情報読取装置１に対する情報記録媒体２の挿入抜取り方向（図１等の方向Ｙ）を「前後方向」とし、上下方向と前後方向とに直交する方向（図１等の方向Ｘ）を「左右方向」とする。
【００１９】
情報読取装置１は、ガラス板３と、ガラス板３に載置される情報記録媒体２の下面に光を照射する照明４（図２及び図３参照）と、ガラス板３に載置される情報記録媒体２の上面に光を照射する照明５（図２及び図３参照）と、ガラス板３に載置される情報記録媒体２の下面に記録された情報を読み取るための光学系６（図４参照）と、ガラス板３に載置される情報記録媒体２の上面に記録された情報を読み取るための光学系７（図４参照）と、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ又はＣＣＤ（Ｃｈａｒｇｅ  Ｃｏｕｐｌｅｄ  Ｄｅｖｉｃｅ）イメージセンサ等の撮像素子８（図４及び図５参照）と、光学系６を通過した光を撮像素子８に結像させるとともに、光学系７を通過した光を撮像素子８に結像させる結像光学系９（図４及び図５参照）と、これらの構成要素が収容される筐体１０（図１参照）とを備えている。
【００２０】
また、情報読取装置１は、光学系６を通過した光の一部を結像光学系９に向かって透過させるとともに光学系７を通過した光の一部を結像光学系９に向かって反射するビームスプリッタ１３（図４参照）と、ガラス板３に載置される情報記録媒体２の下面に記録された情報を読み取るときに光学系７からビームスプリッタ１３に入射する光を遮り、且つ、ガラス板３に載置される情報記録媒体２の上面に記録された情報を読み取るときに光学系６からビームスプリッタ１３に入射する光を遮るシャッタ機構１４（図５参照）とを備えている。ビームスプリッタ１３及びシャッタ機構１４は、筐体１０に収容されている。
【００２１】
さらに、情報読取装置１は、図２及び図３に示すように、ガラス板３に載置される情報記録媒体２よりも上側に配置される上面部１５ａと、上面部１５ａの左右の両端側に繋がる２個の側面部１５ｂと、上面部１５ａの奥端側に繋がる奥面部１５ｃとを有するカバー部材１５を備えている。カバー部材１５は、例えば、透明なアクリル樹脂で形成されている。奥面部１５ｃには、例えば、遮光性の塗料が塗布されており、光を遮断する遮光部を構成している。一方、上面部１５ａ及び側面部１５ｂは、透明になっている。
【００２２】
上面部１５ａは、長方形の平板状に形成されており、上面部１５ａの厚さ方向と上下方向とが一致するように配置されている。また、上面部１５ａは、上面部１５ａの端面が前後方向または左右方向と平行になるように配置されている。側面部１５ｂは、長方形の平板状に形成されており、側面部１５ｂの厚さ方向と左右方向とが一致するように配置されている。奥面部１５ｃは、長方形の平板状に形成されており、奥面部１５ｃの厚さ方向と前後方向とが一致するように配置されている。奥面部１５ｃの左右方向の両端は、側面部１５ｂの奥端に繋がっている。
【００２３】
ガラス板３は、長方形の平板状に形成されており、ガラス板３の厚さ方向と上下方向とが一致するように配置されている。また、ガラス板３は、ガラス板３の端面が前後方向又は左右方向と平行になるように配置されている。２つの側面部１５ｂの各々の下端及び奥面部１５ｃの下端は、ガラス板３の上面に接触している。ガラス板３とカバー部材１５とによって、前面が開口するとともに情報記録媒体２の少なくとも一部が載置される箱状の媒体挿入部１６が形成されている。図１に示すように、媒体挿入部１６の、前面の開口以外の部分は、筐体１０によって覆われている。媒体挿入部１６の前面の開口は、媒体挿入口を構成する。
【００２４】
筐体１０におけるガラス板３よりも前側には、図１に示すように、パスポート２Ａに内蔵される非接触通信用のアンテナと通信を行うためのアンテナ１７を内蔵する傾斜面１７ａが形成されている。傾斜面１７ａは、ガラス板３に対し下方向に向かって傾斜している。
【００２５】
また、情報読取装置１は、図１に示すようにカメラ１８を備えている。カメラ１８は、媒体挿入部１６よりも上側に配置されている。カメラ１８の光軸は、前側に向かうにしたがって上側に向かうように傾斜している。カメラ１８は、たとえば、情報記録媒体２の読取操作を行う者の顔を撮影する。
【００２６】
（照明の構成及び配置）
図３に示すように、照明４，５は、複数の光源が実装される基板２４と、光源から射出された光が入射する照明レンズ２５とを備えている。照明４，５は、光源として、白色光を射出する複数の白色ＬＥＤと、赤外光を射出する複数の赤外線ＬＥＤと、紫外光を射出する複数の紫外線ＬＥＤとを備えている。基板２４は、細長い長方形の平板状に形成されている。照明レンズ２５は、細長い略直方体状に形成されている。この照明レンズ２５は、基板２４の、光源が実装された面に固定されている。
【００２７】
照明レンズ２５には、白色ＬＥＤが射出する白色光と赤外線ＬＥＤが射出する赤外光と紫外線ＬＥＤが射出する紫外光とが入射し、照明レンズ２５を透過した光が情報記録媒体２に照射される。なお、照明４，５から照射される赤外光は、ＯＣＲ文字等の機械読取式の印刷情報の読取りに用いられる。また、照明４，５から照射される紫外光は、情報記録媒体２の真偽判定に必要な印刷情報の読取りに用いられる。具体的には、照明４，５から照射される紫外光は、目に見えない蛍光発色インクによる印刷情報の読取りに用いられる。
【００２８】
図３に示すように、照明４は、ガラス板３よりも下側に配置されている。また、情報読取装置１は、２個の照明４を備えており、照明４は、左右方向におけるガラス板３の両外側のそれぞれに配置されている。照明４は、ガラス板３に載置される情報記録媒体２に向かって左右方向の外側から、かつ、斜め下側から光を照射する。また、照明４から射出されガラス板３を透過した光が、ガラス板３に載置される情報記録媒体２の下面に照射される。
【００２９】
照明５は、ガラス板３に載置される情報記録媒体２よりも上側に配置されている。また、情報読取装置１は、２個の照明５を備えており、照明５は、左右方向における媒体挿入部１６の両外側のそれぞれに配置されている。すなわち、２個の照明５のうちの一方の照明５は、右側に配置される側面部１５ｂの右側に配置され、２個の照明５のうちの他方の照明５は、左側に配置される側面部１５ｂの左側に配置されている。照明５は、ガラス板３に載置される情報記録媒体２に向かって左右方向の外側から、かつ、斜め上側から光を照射する。また、照明５から射出され側面部１５ｂを透過した光が、ガラス板３に載置される情報記録媒体２の上面に照射される。
【００３０】
（光学系、結像光学系、ビームスプリッタ、撮像素子の構成及び配置）
図４に示すように、光学系６は、長方形の平板状に形成された３個の反射ミラー（全反射ミラー）３０、３１、３２を備えている。反射ミラー３０は、反射ミラー３１よりも大きくなっており、反射ミラー３１は、反射ミラー３２よりも大きくなっている。反射ミラー３０、３１は、ガラス板３よりも下側に配置されている。具体的には、反射ミラー３０は、ガラス板３に載置されるパスポート２Ａの下側に配置されている。また、反射ミラー３１は、反射ミラー３０と略同じ高さに配置されるとともに、反射ミラー３０よりも後ろ側に配置されている。反射ミラー３２は、媒体挿入部１６の後ろ側に配置されている。また、反射ミラー３２は、反射ミラー３１の上側に配置されている。
【００３１】
反射ミラー３０〜３２は、上下方向に対して所定の角度傾いた状態で配置されている。
具体的には、反射ミラー３０〜３２は、左右方向から見たときに上下方向に対して所定の角度傾いた状態で配置されている。反射ミラー３０は、後ろ側に向かうにしたがって下側に向かうように傾斜し、反射ミラー３１、３２は、後ろ側に向かうにしたがって上側に向かうように傾斜している。反射ミラー３０〜３２の上下方向に対する傾斜角度は、略４５°となっている。
【００３２】
反射ミラー３０には、ガラス板３に載置された情報記録媒体２の下面で反射された光が入射する。反射ミラー３１には、反射ミラー３０で反射された光が入射し、反射ミラー３２には、反射ミラー３１で反射された光が入射する。反射ミラー３０では、情報記録媒体２の下面で反射されて下側へ向かう光の光軸が後ろ側に折り曲げられる。また、反射ミラー３１では、反射ミラー３０で反射されて後ろ側へ向かう光の光軸が上側に折り曲げられ、反射ミラー３２では、反射ミラー３１で反射されて上側に向かう光の光軸が後ろ側に折り曲げられる。
【００３３】
図４に示すように、光学系７は、長方形の平板状に形成された２個の反射ミラー（全反射ミラー）３３、３４を備えている。反射ミラー３３は、反射ミラー３４よりも大きくなっている。反射ミラー３３，３４は、ガラス板３に載置される情報記録媒体２よりも上側に配置されている。具体的には、反射ミラー３３は、ガラス板３に載置されるＩＤカード２Ｂの上側に配置されている。また、反射ミラー３４は、反射ミラー３３と略同じ高さに配置されるとともに、ガラス板３よりも後ろ側（すなわち、媒体挿入部１６よりも後ろ側）に配置されている。また、反射ミラー３３，３４は、カバー部材１５の上面部１５ａよりも上側（すなわち、媒体挿入部１６よりも上側）に配置されている。
【００３４】
反射ミラー３３，３４は、上下方向に対して所定の角度傾いた状態で配置されている。具体的には、図４に示すように、反射ミラー３３，３４は、左右方向から見たときに上下方向に対して所定の角度傾いた状態で配置されている。反射ミラー３３は、後ろ側に向かうにしたがって上側に向かうように傾斜し、反射ミラー３４は、後ろ側に向かうにしたがって下側に向かうように傾斜している。反射ミラー３３，３４の上下方向に対する傾斜角度は、略４５°となっている。
【００３５】
反射ミラー３３には、ガラス板３に載置された情報記録媒体２の上面で反射された光が入射する。反射ミラー３４には、反射ミラー３３で反射された光が入射する。反射ミラー３３では、情報記録媒体２の上面で反射されて上側へ向かう光の光軸が後ろ側に折り曲げられ、反射ミラー３４では、反射ミラー３３で反射されて後ろ側へ向かう光の光軸が下側に折り曲げられる。
【００３６】
結像光学系９は、結像レンズ３５を備えている。結像レンズ３５は、反射ミラー３２の後ろ側に配置されている。また、結像レンズ３５は、反射ミラー３４よりも後ろ側に配置されている。撮像素子８は、結像レンズ３５の後ろ側に配置されている。撮像素子８は、撮像面が前側を向くように配置されている。
【００３７】
ビームスプリッタ１３は、長方形の平板状に形成されている。ビームスプリッタ１３は、光の透過率と反射率とが等しいハーフミラーである。ビームスプリッタ１３は、前後方向において、反射ミラー３２と結像レンズ３５との間に配置されている。すなわち、ビームスプリッタ１３は、反射ミラー３２の後ろ側であって、且つ、結像レンズ３５の前側に配置されている。また、ビームスプリッタ１３は、反射ミラー３４の下側に配置されている。
【００３８】
ビームスプリッタ１３は、上下方向に対して所定の角度傾いた状態で配置されている。具体的には、図４に示すように、ビームスプリッタ１３は、左右方向から見たときに上下方向に対して所定の角度傾いた状態で配置されている。ビームスプリッタ１３は、後ろ側に向かうにしたがって下側に向かうように傾斜している。ビームスプリッタ１３の上下方向に対する傾斜角度は、略４５°となっている。ビームスプリッタ１３は、反射ミラー３２で反射された光の半分を結像レンズ３５に向かって透過させるとともに、反射ミラー３４で反射された光の半分を結像レンズ３５に向かって反射する。
【００３９】
ガラス板３に載置された情報記録媒体２の下面で反射された光の、撮像素子８までの光路長と、ガラス板３に載置された情報記録媒体２の上面で反射された光の、撮像素子８までの光路長とは、略等しくなっている。
【００４０】
（シャッタ機構の構成）
図５に示すように、シャッタ機構１４は、光学系６の反射ミラー３２とビームスプリッタ１３との間の光路を遮る第１遮光位置３７Ａ（図５（Ｂ）参照）と、光学系７の反射ミラー３４とビームスプリッタ１３との間の光路を遮る第２遮光位置３７Ｂ（図５（Ａ）参照）との間で移動可能なシャッタ３７を備えている。シャッタ３７は、反射ミラー３２，３４とビームスプリッタ１３との間の光路を遮る遮光部３７ａを備えている。
【００４１】
また、シャッタ機構１４は、第１遮光位置３７Ａと第２遮光位置３７Ｂとの間でシャッタ３７を移動させるシャッタ駆動機構を備えている。このシャッタ駆動機構は、シャッタ３７が固定されるレバー部材３９、及び、レバー部材３９を回動させるソレノイド（図示省略）等を備える。レバー部材３９は、左右方向を回動の軸方向として回動可能となっている。
【００４２】
シャッタ機構１４のシャッタ３７が駆動されることで、シャッタ３７が第２遮光位置３７Ｂ（図５（Ａ）参照）にある状態では、撮像素子８がガラス板３を下面側から撮像し、シャッタ３７が第１遮光位置３７Ａ（図５（Ｂ）参照）にある状態では、撮像素子８がガラス板３を上面側から撮像するようになっている。
【００４３】
（ガラス板の詳細構成）
図６は、図２に示すガラス板３を上下方向且つ上面部１５ａ側から見た平面模式図である。図７は、図２に示すガラス板３にＩＤカード２Ｂが載置された状態を上下方向且つ上面部１５ａ側から見た平面模式図である。図８は、図２に示すガラス板３にパスポート２Ａが載置された状態を上下方向且つ上面部１５ａ側から見た平面模式図である。図７に示すＩＤカード２Ｂには、一方の面に印刷される所有者の顔写真Ｆ２の印刷例が示されている。図８に示すパスポート２Ａには、情報記録面２ｓａに印刷される所有者の顔写真Ｆ１の印刷例が示されている。
【００４４】
図７に示すように、ガラス板３には、ＩＤカード２Ｂの全体が載置される。また、図８に示すように、ガラス板３には、パスポート２Ａの情報記録面２ｓａがガラス板３の上面に向く状態にてガラス板３に載置される。パスポート２Ａの情報記録面２ｓａがガラス板３に載置された状態では、パスポート２Ａのガラス板３に配置されている表紙２ｓ以外の部分が、媒体挿入部１６の外側に位置する図１の傾斜面１７ａに載置された状態となる。
【００４５】
このように、ガラス板３は、パスポート２Ａの見開き面の一方の面である情報記録面２ｓａ及びＩＤカード２Ｂの全体のいずれか一方を載置するための第一載置部を構成している。また、筐体１０の傾斜面１７ａは、パスポート２Ａにおけるガラス板３に載置された部分以外の部分が載置される第二載置部を構成している。
【００４６】
図７に示すように、ガラス板３における前後方向（方向Ｙ）の幅は、ＩＤカード２Ｂの前後方向（方向Ｙ）の幅よりも広くなっている。図７（Ａ）に示すように、ＩＤカード２Ｂは、ガラス板３におけるほぼ中央に載置されることが推奨される。
【００４７】
また、図７及び図８に示すように、ガラス板３に載置されたＩＤカード２Ｂの前後方向（方向Ｙ）の幅は、パスポート２Ａにおけるガラス板３に載置された部分の前後方向（方向Ｙ）の幅よりも狭くなっている。また、ガラス板３に載置されたＩＤカード２Ｂの左右方向（方向Ｘ）の幅は、パスポート２Ａの左右方向（方向Ｘ）の幅よりも狭くなっている。
【００４８】
図６から図８に示すように、パスポート２Ａの情報記録面２ｓａがガラス板３に載置された状態にて、パスポート２Ａの見開き面の境界部２ｃ側に位置するガラス板３の端部（ガラス板３の前後方向の前側の端部）には、識別用領域３Ａが設定されている。
【００４９】
ガラス板３の該端部とは、ＩＤカード２Ｂを載置することが推奨されるガラス板３における範囲の外側且つ前側（媒体挿入部１６の媒体挿入口側）の部分を言う。具体的には、この端部は、ガラス板３を前後方向に均等に３分割した場合の最も前側（媒体挿入部１６の媒体挿入口側）にある分割エリア、又は、ガラス板３を前後方向に均等に４分割した場合の最も前側（媒体挿入部１６の媒体挿入口側）にある分割エリア等である。
【００５０】
識別用領域３Ａは、左右方向（方向Ｘ）に沿って延びる直線状且つ矩形状の領域である。図８に示すように、識別用領域３Ａの左右方向（方向Ｘ）の幅は、パスポート２Ａのガラス板３に載置される情報記録面２ｓａの左右方向（方向Ｘ）の幅よりも広い。
【００５１】
図７（Ａ）に示すように、ＩＤカード２Ｂがガラス板３における推奨範囲に載置された状態においては、識別用領域３ＡとＩＤカード２Ｂとは重ならない。一方、図７（Ｂ）に示すように、ＩＤカード２Ｂがガラス板３における推奨範囲よりも前側に載置された状態においては、識別用領域３ＡとＩＤカード２Ｂの一部とが重なる。また、図８に示すように、パスポート２Ａの情報記録面２ｓａがガラス板３に載置された状態においては、識別用領域３Ａの一部にパスポート２Ａの情報記録面２ｓａの一部が重なる。
【００５２】
ＩＤカード２Ｂの左右方向の幅は、パスポート２Ａの左右方向の幅よりも狭い。このため、図７（Ｂ）と図８を比較して分かるように、識別用領域３Ａと重なり得るＩＤカード２Ｂの重なり部分の左右方向の長さは、識別用領域３Ａと重なり得るパスポート２Ａの重なり部分の左右方向の長さよりも短くなる。
【００５３】
図４及び図５に示した撮像素子８による撮像範囲は、例えば、図６から図８に示す識別用領域３Ａを含むガラス板３の全体とされている。また、撮像素子８によってガラス板３を撮像して撮像素子８から出力される撮像画像データは、前後方向の奥側の端部が、表示する際の上端として取り扱われ、前後方向の前側の端部が、表示する際の下端として取り扱われる。
【００５４】
（情報読取装置の内部ブロック構成）
図９は、図１に示す情報読取装置１の内部構成を示すブロック図である。情報読取装置１は、上述してきた構成要素（カメラ１８、照明４，５、撮像素子８、及びシャッタ機構１４等）に加えて、非接触通信部１７０と、照明４を駆動するドライバ４ｄと、照明５を駆動するドライバ５ｄと、撮像素子８を駆動するドライバ８ｄと、シャッタ機構１４のレバー部材３９を回動させるソレノイドを駆動するドライバ１４ｄと、全体を統括制御するシステム制御部４０と、を更に備える。
【００５５】
非接触通信部１７０は、図１に示すアンテナ１７を介して非接触通信を行うためのインタフェースである。非接触通信部１７０により、パスポート２Ａの非接触通信用ＩＣから情報が受信されると、この情報がシステム制御部４０に入力される。
【００５６】
システム制御部４０は、プログラムを実行して処理を行う各種のプロセッサと、ＲＡＭ（Ｒａｍｄｏｍ  Ａｃｃｅｓｓ  Ｍｅｍｏｒｙ）と、ＲＯＭ（Ｒｅａｄ  Ｏｎｌｙ  Ｍｅｍｏｒｙ）と、を含む。各種のプロセッサとしては、プログラムを実行して各種処理を行う汎用的なプロセッサであるＣＰＵ（Ｃｅｎｔｒａｌ  Ｐｒｏｓｅｓｓｉｎｇ  Ｕｎｉｔ）、ＦＰＧＡ（Ｆｉｅｌｄ  Ｐｒｏｇｒａｍｍａｂｌｅ  Ｇａｔｅ  Ａｒｒａｙ）等の製造後に回路構成を変更可能なプロセッサであるプログラマブルロジックデバイス（Ｐｒｏｇｒａｍｍａｂｌｅ  Ｌｏｇｉｃ  Ｄｅｖｉｃｅ：ＰＬＤ）、又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が含まれる。これら各種のプロセッサの構造は、より具体的には、半導体素子等の回路素子を組み合わせた電気回路である。システム制御部４０は、各種のプロセッサのうちの１つで構成されてもよいし、同種又は異種の２つ以上のプロセッサの組み合わせ（例えば、複数のＦＰＧＡの組み合わせ又はＣＰＵとＦＰＧＡの組み合わせ）で構成されてもよい。
【００５７】
システム制御部４０は、撮像素子８から出力される識別用領域３Ａの画像データに基づいて識別用領域３Ａに物体が重なっているか否かを判定し、当該判定の結果に基づいて、ガラス板３に載置されている情報記録媒体２がパスポート２ＡとＩＤカード２Ｂのどちらであるかを識別する、画像データに基づく媒体識別処理を少なくとも行う。システム制御部４０は媒体識別部を構成する。
【００５８】
（システム制御部による情報記録媒体の識別方法）
図１０は、図９に示すシステム制御部４０による情報記録媒体２の識別動作を説明するためのフローチャートである。図１０に示す動作は、情報記録媒体２が媒体挿入部１６に挿入されたことを検知された後に開始される。情報記録媒体２が媒体挿入部１６に挿入されたことの検知は、例えば、媒体挿入部１６の開口付近に設置した挿入検知センサを用いて行う。または、撮像素子８によりガラス板３を上面側又は下面側から常時撮像させ、この撮像により得られる画像に動体が含まれる場合に、情報記録媒体２が媒体挿入部１６に挿入されたことを検知してもよい。
【００５９】
まず、システム制御部４０は、非接触通信部１７０によって通信が開始されたか否かを判定する（ステップＳ１）。媒体挿入部１６にパスポート２Ａが挿入されてパスポート２Ａの表紙２ｓがガラス板３に載置された場合には、パスポート２Ａの背表紙２ｂが傾斜面１７ａに載置された状態となる。この場合には、非接触通信部１７０によってパスポート２Ａの非接触通信用ＩＣから情報の読み取りが行われ、この情報がシステム制御部４０に入力される。システム制御部４０は、この情報の入力があった場合には、非接触通信部１７０によって通信が開始されたと判定し（ステップＳ１：ＹＥＳ）、ガラス板３に載置された情報記録媒体２をパスポート２Ａとして識別し（ステップＳ８）、処理を終了する。
【００６０】
一方、媒体挿入部１６にＩＤカード２Ｂが挿入されてガラス板３に載置された場合には、非接触通信部１７０によって情報の読み取りは行われない。または、媒体挿入部１６にパスポート２Ａが挿入されたものの、パスポート２Ａの非接触通信用ＩＣに不具合があった場合や、パスポート２Ａが非接触通信用ＩＣを搭載していないものであった場合には、非接触通信部１７０によって情報の読み取りは行われない。このため、システム制御部４０は、非接触通信部１７０からの情報の入力がない場合には、非接触通信部１７０によって通信が開始されていないと判定する（ステップＳ１：ＮＯ）。
【００６１】
非接触通信部１７０によって通信が開始されていないと判定した場合（ステップＳ１：ＮＯ）には、システム制御部４０は、シャッタ３７を第２遮光位置３７Ｂに制御し、更に、照明４から光を照射させた状態にて、撮像素子８によりガラス板３を下面側から撮像させる（ステップＳ２）。なお、ステップＳ２において、システム制御部４０は、シャッタ３７を第１遮光位置３７Ａに制御し、更に、照明５から光を照射させた状態にて、撮像素子８によりガラス板３を上面側から撮像させてもよい。
【００６２】
次に、システム制御部４０は、ステップＳ２の撮像によって撮像素子８から出力された撮像画像データにおける識別用領域３Ａの画像データを取得する（ステップＳ３）。識別用領域３Ａの画像データは、例えば、左右方向に並ぶ複数の画素値からなるラインデータが前後方向に複数個並ぶデータである。識別用領域３Ａの画像データは、１つのラインデータだけで構成されていてもよい。
【００６３】
次に、システム制御部４０は、ステップＳ３にて取得した画像データに基づいて、識別用領域３Ａに物体が重なっているか否かを判定する（ステップＳ４）。
【００６４】
図１１は、ガラス板３に何も載置されていない状態にて、ステップＳ２にて行われる撮像と同一条件にてガラス板３を撮像した場合に得られる識別用領域３Ａの画像データのラインデータの一例を示す図である。図１１の横軸は、識別用領域３Ａの左右方向の位置を示している。図１１の縦軸は、ラインデータの画素値を示している。ガラス板３に何も載置されていない状態、すなわち、識別用領域３Ａに物体が重なっていない状態においては、識別用領域３Ａの画像データは、透明なガラス板３を撮像して得られるものとなる。このため、図１１に示すように、識別用領域３Ａの画像データを構成する各画素値は低い値となる。
【００６５】
図１１に示すラインデータを構成している画素値のうちの最大値又はこの最大値に測定誤差を考慮した値を加算した値が、例えば後述の閾値ＴＨ１として予め設定されている。この閾値ＴＨ１の情報は、システム制御部４０のＲＯＭに予め記憶されている。
【００６６】
一方、識別用領域３Ａの少なくとも一部に物体が重なっている状態にてステップＳ２の撮像が行われると、識別用領域３Ａの画像データの全てのラインデータのうちの少なくとも１つのラインデータは、図１２又は図１３に例示されるようなデータとなる。図１２は、図８に示す状態にてステップＳ２の撮像によって得られる識別用領域３Ａのラインデータの一例を示す図である。図１３は、図７（Ｂ）に示す状態にてステップＳ２の撮像によって得られる識別用領域３Ａのラインデータの一例を示す図である。
【００６７】
識別用領域３Ａに物体が重なっていると、この物体と重なる部分は不透明となって照明４，５からの光を反射する。このため、識別用領域３Ａの画像データを構成する全ての画素値の中に、上記の閾値ＴＨ１以上となるものが存在するようになる。
【００６８】
したがって、システム制御部４０は、図１０のステップＳ４において、識別用領域３Ａの画像データの中に、閾値ＴＨ１以上となる画素値が所定個（例えば１つ又は複数）以上となるラインデータが所定数（例えば１つ又は複数）以上含まれる場合には、識別用領域３Ａに物体が重なっていると判定する。システム制御部４０は、ステップＳ４において、識別用領域３Ａの画像データの中に、閾値ＴＨ１以上となる画素値が所定個（例えば１つ又は複数）以上となるラインデータが所定数（例えば１つ又は複数）以上含まれない場合には、識別用領域３Ａに物体が重なっていないと判定する。
【００６９】
システム制御部４０は、識別用領域３Ａに物体が重なっていないと判定すると（ステップＳ４：ＮＯ）、ガラス板３に載置された情報記録媒体２をＩＤカード２Ｂとして識別し（ステップＳ６）、処理を終了する。
【００７０】
システム制御部４０は、識別用領域３Ａに物体が重なっていると判定すると（ステップＳ４：ＹＥＳ）、ステップＳ３にて取得した識別用領域３Ａの画像データに基づいて、識別用領域３Ａにおけるこの物体との重なり部分の左右方向の幅が閾値ＴＨ２を超えるか否かを判定する（ステップＳ５）。
【００７１】
図１２と図１３を比較して分かるように、識別用領域３Ａにパスポート２Ａの一部が重なっている場合と、識別用領域３ＡにＩＤカード２Ｂの一部が重なっている場合とでは、識別用領域３Ａのラインデータにおける、画素値が閾値ＴＨ１以上となる範囲の幅が異なる。ＩＤカード２Ｂが識別用領域３Ａに重なる場合におけるその重なり部分の左右方向の幅の最大値は、ＩＤカード２Ｂの左右方向の幅と同じである。したがって、ＩＤカード２Ｂの左右方向の幅が上記の閾値ＴＨ２として設定されて、システム制御部４０のＲＯＭに予め記憶される。
【００７２】
システム制御部４０は、識別用領域３Ａの画像データの各ラインデータについて、画素値が連続して閾値ＴＨ１以上となる範囲の幅を算出し、算出した幅のうちの最大値を、識別用領域３Ａにおける物体との重なり部分の左右方向の幅とする。そして、システム制御部４０は、この幅が閾値ＴＨ２を超える場合（ステップＳ５：ＹＥＳ）には、ガラス板３に載置された情報記録媒体２をパスポート２Ａとして識別し（ステップＳ７）、処理を終了する。
【００７３】
一方、この幅が閾値ＴＨ２以下の場合（ステップＳ５：ＮＯ）には、システム制御部４０は、ガラス板３に載置された情報記録媒体２をＩＤカード２Ｂとして識別し（ステップＳ６）、処理を終了する。
【００７４】
（情報記録媒体の識別後の情報読取装置の情報読取動作）
システム制御部４０は、図１０のステップＳ６にて情報記録媒体２をＩＤカード２Ｂとして識別した場合には、シャッタ３７を第１遮光位置３７Ａに制御し、更に、照明５から光を照射させた状態にて、撮像素子８によりガラス板３を上面側から撮像させる。そして、この撮像にて撮像素子８から出力された撮像画像データからＩＤカード２Ｂの部分をトリミングする。更に、システム制御部４０は、図１０のステップＳ２の撮像によって撮像素子８から出力された撮像画像データからＩＤカード２Ｂの部分をトリミングする。そして、システム制御部４０は、２つのトリミング後の画像データを例えば縦に並べた合成画像データを生成し、この合成画像データを情報読取結果として上位装置に出力する。
【００７５】
また、システム制御部４０は、図１０のステップＳ７にて情報記録媒体２をパスポート２Ａとして識別した場合には、ステップＳ２での撮像によって撮像素子８から出力された撮像画像データからパスポート２Ａの情報記録面２ｓａの部分をトリミングし、トリミング後の画像データを１８０度回転させ、回転後の画像データを、情報読取結果として上位装置に出力する。トリミング後の画像データを１８０度回転させるのは、図８に示すように、パスポート２Ａが媒体挿入部１６に挿入された状態では、顔写真Ｆ１の向きがＩＤカード２Ｂの顔写真Ｆ２の向きとは１８０度回転した状態になっているためである。
【００７６】
また、システム制御部４０は、図１０のステップＳ８にて情報記録媒体２をパスポート２Ａとして識別した場合には、シャッタ３７を第２遮光位置３７Ｂに制御し、更に、照明４から光を照射させた状態にて、撮像素子８によりガラス板３を下面側から撮像させる。システム制御部４０は、この撮像によって撮像素子８から出力された撮像画像データからパスポート２Ａの情報記録面２ｓａの部分をトリミングし、トリミング後の画像データを１８０度回転させ、回転後の画像データを、情報読取結果として上位装置に出力する。
【００７７】
このように、システム制御部４０は、識別した情報記録媒体２がＩＤカード２Ｂである場合にはＩＤカード２Ｂに対応した撮像制御と画像の加工処理とを行い、識別した情報記録媒体２がパスポート２Ａである場合にはパスポート２Ａに対応した撮像制御と画像の加工処理を行って、情報読取結果を上位装置に出力する。
【００７８】
なお、図１０のステップＳ２において、システム制御部４０が、シャッタ３７を第１遮光位置３７Ａに制御し、更に、照明５から光を照射させた状態にて、撮像素子８によりガラス板３を上面側から撮像させる場合には、情報読取装置１の情報読取動作は以下の通りとなる。
【００７９】
システム制御部４０は、図１０のステップＳ６にて情報記録媒体２をＩＤカード２Ｂとして識別した場合には、シャッタ３７を第２遮光位置３７Ｂに制御し、更に、照明４から光を照射させた状態にて、撮像素子８によりガラス板３を下面側から撮像させる。そして、この撮像にて撮像素子８から出力された撮像画像データからＩＤカード２Ｂの部分をトリミングする。更に、システム制御部４０は、ステップＳ２の撮像によって撮像素子８から出力された撮像画像データからＩＤカード２Ｂの部分をトリミングする。そして、システム制御部４０は、２つのトリミング後の画像データを例えば縦に並べた合成画像データを生成し、この合成画像データを情報読取結果として上位装置に出力する。
【００８０】
システム制御部４０は、図１０のステップＳ７又はステップＳ８にて情報記録媒体２をパスポート２Ａとして識別した場合には、シャッタ３７を第２遮光位置３７Ｂに制御し、更に、照明４から光を照射させた状態にて、撮像素子８によりガラス板３を下面側から撮像させる。システム制御部４０は、この撮像によって撮像素子８から出力された撮像画像データからパスポート２Ａの情報記録面２ｓａの部分をトリミングし、トリミング後の画像データを１８０度回転させ、回転後の画像データを、情報読取結果として上位装置に出力する。
【００８１】
（実施形態の情報読取装置の効果）
以上のように、情報読取装置１によれば、ガラス板３の端部に設定された識別用領域３Ａの画像データに基づいて識別用領域３Ａに物体が重なっているか否かが判定され、その判定結果に基づいて、パスポート２ＡとＩＤカード２Ｂのどちらがガラス板３に載置されているかを識別することができる。ガラス板３上の狭い領域である識別用領域３Ａの画像データの解析だけで情報記録媒体２の識別が可能となるため、この識別を簡易に行うことができる。
【００８２】
また、情報読取装置１によれば、図１０のステップＳ２からステップＳ５の処理が行われる前に、非接触通信部１７０によって通信が開始されたと判定された場合には、ガラス板３に載置された情報記録媒体２がパスポート２Ａとして識別される。このため、情報記録媒体２の識別を高速且つ効率的に行うことができる。
【００８３】
また、情報読取装置１によれば、識別用領域３Ａに物体が重なっていると判定された場合であっても、識別用領域３Ａにおける物体との重なる部分の長さがＩＤカード２Ｂの左右方向の幅以下となっている場合には、情報記録媒体２がＩＤカード２Ｂとして識別される。このため、ＩＤカード２Ｂが図７（Ｂ）のような状態でガラス板３に配置された状態と、パスポート２Ａがガラス板３に載置された状態とを正確に区別することができる。
【００８４】
なお、情報記録媒体２がパスポート２ＡとＩＤカード２Ｂのどちらであっても、情報記録媒体２におけるガラス板３の上面と対面する面には情報が記録されている。つまり、図１０のステップＳ２において、システム制御部４０が、撮像素子８によりガラス板３を下面側から撮像することで、この撮像により得られる撮像画像データの一部を情報読取結果として利用することができる。このため、ステップＳ２からステップＳ５の処理を行う場合には、これらの処理と並行して、情報読取結果の生成処理を行うことができ、情報の読取速度を低下させることなく、情報記録媒体２の識別を行うことができる。
【００８５】
（実施形態の情報読取装置の第一の変形例）
情報読取装置１のシステム制御部４０は、図１０のステップＳ１の処理を行わなくてもよい。この場合の動作は、図１０においてステップＳ１及びステップＳ８が削除され、ステップＳ２から処理が開始されるものとなる。
【００８６】
第一の変形例によれば、例えば非接触通信用ＩＣを搭載しない冊子状の情報記録媒体２を情報の読み取り対象とする場合であっても、情報記録媒体２の識別処理を正確に行うことができる。
【００８７】
（実施形態の情報読取装置の第二の変形例）
図１４は、図９に示すシステム制御部４０による情報記録媒体２の識別動作の変形例を説明するためのフローチャートである。図１４に示すフローチャートは、ステップＳ５が削除され、ステップＳ４の判定がＹＥＳのときにステップＳ７の処理が行われ、ステップＳ４の判定がＮＯのときにステップＳ６の処理が行われる点を除いては、図１０と同じである。
【００８８】
第二の変形例によれば、ステップＳ５の処理を行わない分、識別のための処理負荷を軽減することができる。また、識別速度を速めることができる。
【００８９】
（実施形態の情報読取装置の第三の変形例）
図１５は、図９に示すシステム制御部４０による情報記録媒体２の識別動作の変形例を説明するためのフローチャートである。図１５に示すフローチャートは、ステップＳ５がステップＳ１に置換され、ステップＳ８が削除された点を除いては、図１０と同じである。
【００９０】
第三の変形例によれば、ステップＳ４の判定がＹＥＳとなる場合にのみ非接触通信部１７０による通信の有無が判定されるため、情報記録媒体２の識別処理を高速に行うことができる。また、ステップＳ５の代わりにステップＳ１が行われるため、識別のための処理負荷を軽減することができる。
【００９１】
（実施形態の情報読取装置の第四の変形例）
識別用領域３Ａの形状は、左右方向に沿って延びる直線状に限らず、例えば、図１６に示すように、ガラス板３の端部に設定される正方形状の領域であってもよい。図１６の識別用領域３Ａの形状を例えば円状としてもよい。
【００９２】
図１４又は図１５に示す動作にて情報記録媒体２の識別を行う場合には、図１６に示すように、識別用領域３Ａがごく小さい面積の領域であっても、この識別を精度よく行うことができる。第四の変形例によれば、解析対象となる識別用領域３Ａの画像データのデータ量が少なくてすむため、識別のための処理負荷を軽減することができる。また、識別速度を速めることができる。
【００９３】
（実施形態の情報読取装置の第五の変形例）
識別用領域３Ａは、単独の領域である必要はなく、例えば、図１７に示すように、左右方向に並ぶ複数（図１７の例では３つ）の識別用領域３Ａであってもよい。
【００９４】
図１７に示すように３つの識別用領域３Ａを設定した場合には、システム制御部４０は、図１０のステップＳ５の代わりに、３つの識別用領域３Ａの全てに物体が重なっているか否かの判定を行う。そして、システム制御部４０は、３つの識別用領域３Ａの全てに物体が重なっていると判定した場合にはステップＳ７の処理を行い、３つの識別用領域３Ａのうちの真ん中の識別用領域３Ａと右端又は左端の識別用領域３Ａとに物体が重なっている、或いは、３つの識別用領域３Ａのうちの真ん中の識別用領域３Ａだけに物体が重なっていると判定した場合は、ステップＳ６の処理を行う。
【００９５】
第五の変形例によれば、解析対象となる識別用領域３Ａの画像データのデータ量が少なくてすむため、識別のための処理負荷を軽減することができる。また、ステップＳ５のように物体との重なり部分の幅の長さを算出する必要がなく、処理負荷を軽減することができる。
【００９６】
（実施形態の情報読取装置の第六の変形例）
情報読取装置１において設定されている図６から図８に示した直線状の識別用領域３Ａの左右方向の幅は、パスポート２Ａの左右方向の幅よりも大きいものとなっている。しかし、図６から図８に示した直線状の識別用領域３Ａの左右方向の幅は、少なくとも、ＩＤカード２Ｂの左右方向の幅よりも大きくなっていればよい。
【００９７】
ただし、図８の状態から、例えばパスポート２Ａが左右にずれて載置されることもあり、このような場合に、識別用領域３Ａの幅が狭いと、識別用領域３Ａとパスポート２Ａとの重なり部分の左右方向の長さが閾値ＴＨ２を超えない可能性が高くなる。そのため、識別用領域３Ａの左右方向の幅は、図８に示すように、パスポート２Ａの左右方向の幅よりも大きくしておくことが最も好ましい。
【００９８】
ここまでの実施形態及びその変形例の説明では、情報記録媒体２の情報記録面を撮像するために用いられる撮像素子８を、識別用領域３Ａを撮像するための撮像素子として兼用するものとした。しかし、撮像素子８とは別に、識別用領域３Ａを撮像するための専用の撮像素子を情報読取装置１に搭載しておくことも可能である。
【００９９】
また、ここまでの実施形態及びその変形例の説明では、１つの撮像素子８によってガラス板３の下面と上面を撮像可能としているが、ガラス板３の上面を撮像する撮像素子と、ガラス板３の下面を撮像する撮像素子とを個別に設けておいてもよい。
【０１００】
以上説明してきたように、本明細書には以下の事項が開示されている。
【０１０１】
（１）
冊子状の第一情報記録媒体とカード状の第二情報記録媒体とを含む情報記録媒体が挿入される媒体挿入部を有し、前記媒体挿入部に挿入された前記情報記録媒体から光学的に情報を読み取る情報読取装置であって、
前記媒体挿入部は、前記第一情報記録媒体の見開き面の一方の面及び前記第二情報記録媒体の全体のいずれか一方が載置される第一載置部を有し、
前記第一載置部における前記情報記録媒体の挿入方向の幅は、前記第二情報記録媒体の前記挿入方向の幅よりも大きく、
前記第一載置部に前記第一情報記録媒体の前記一方の面が載置された状態にて当該第一情報記録媒体の前記見開き面の境界部側に位置する前記第一載置部の端部、に設定される識別用領域を少なくとも撮像する撮像素子と、
前記撮像素子から出力される前記識別用領域の画像データに基づいて前記識別用領域に物体が重なっているか否かを判定し、当該判定の結果に基づいて、前記第一載置部に載置されている前記情報記録媒体が前記第一情報記録媒体と前記第二情報記録媒体のどちらであるかを識別する媒体識別部と、を備える情報読取装置。
【０１０２】
（１）によれば、第一載置部における第一情報記録媒体の見開き面の境界部側の端部に設定された識別用領域の画像データに基づいて識別用領域に物体が重なっているか否かが判定され、その判定結果に基づいて、第一情報記録媒体と第二情報記録媒体のどちらが第一載置部に載置されているかを識別することができる。
例えば、第一載置部に載置された情報記録媒体の全体を撮像して得られる画像を解析してその情報記録媒体の識別を行うといった複雑な処理を行うことなく、識別用領域の画像データの解析だけでこの識別が可能となる。このため、情報記録媒体の識別を簡易に行うことができる。また、例えば、撮像部を、情報記録媒体を撮像するものと兼用することで、装置のコストを下げることもできる。
【０１０３】
（２）
（１）記載の情報読取装置であって、
前記媒体識別部は、前記識別用領域に物体が重なっていないと判定した場合に、前記第一載置部に載置されている前記情報記録媒体が前記第二情報記録媒体であると識別する情報読取装置。
【０１０４】
第二情報記録媒体の挿入方向の幅は第一載置部の挿入方向の幅よりも狭い。このため、第二情報記録媒体が第一載置部に載置されている場合には、識別用領域にこの第二情報記録媒体が重なる可能性は低くなる。このため、（２）のように、識別用領域に物体が重なっていないと判定した場合に、第二情報記録媒体が第一載置部に載置されていると識別することで、識別を精度よく行うことができる。
【０１０５】
（３）
（２）記載の情報読取装置であって、
前記媒体識別部は、前記識別用領域に物体が重なっていると判定した場合に、前記第一載置部に載置されている前記情報記録媒体が前記第一情報記録媒体であると識別する情報読取装置。
【０１０６】
冊子状の第一情報記録媒体の一方の面が第一載置部に載置されている場合には、識別用領域に、この一方の面の一部が重なる。このため、（３）のように、識別用領域に物体が重なっていると判定した場合に、第一情報記録媒体が第一載置部に載置されていると識別することで、識別を精度よく行うことができる。
【０１０７】
（４）
（２）記載の情報読取装置であって、
前記第一情報記録媒体の前記挿入方向に直交する方向の幅は、前記第二情報記録媒体の前記方向の幅よりも広くなっており、
前記識別用領域は、前記方向に沿って設定され、前記識別用領域の前記方向の幅は、前記第二情報記録媒体の前記方向の幅よりも大きくなっており、
前記媒体識別部は、更に、前記画像データに基づいて、前記識別用領域における物体と重なる部分の前記方向の長さを算出し、前記識別用領域に物体が重なっていると判定し、且つ、当該物体の前記長さが予め決められた閾値を超えている場合に、前記第一載置部に載置されている前記情報記録媒体が前記第一情報記録媒体であると識別する情報読取装置。
【０１０８】
カード状の第二情報記録媒体が第一載置部に載置されている場合でも、その載置の仕方によっては、識別用領域にこの第二情報記録媒体の一部が重なる可能性がある。第二情報記録媒体は、第一情報記録媒体よりも挿入方向に直交する方向の幅が狭い。このため、識別用領域に第二情報記録媒体の一部が重なる場合であっても、その重なり部分の長さは、識別用領域に第一情報記録媒体の一方の面が重なる場合よりも短くなる。そこで、（４）のように、識別用領域に物体が重なっており、且つ、この重なり部分の長さが閾値を超える場合に、第一情報記録媒体が第一載置部に載置されていると識別することで、識別をより正確に行うことができる。
【０１０９】
（５）
（１）から（４）のいずれか１つに記載の情報読取装置であって、
前記媒体挿入部に挿入された前記第一情報記録媒体における前記第一載置部に載置された部分を除く部分が載置される第二載置部を更に備え、
前記第一情報記録媒体は、前記第二載置部に載置される前記部分に非接触通信用のアンテナを含み、
前記第二載置部に設けられた非接触通信用のアンテナを更に備え、
前記媒体識別部は、前記第二載置部の前記アンテナによって前記第一情報記録媒体の前記アンテナとの通信が開始された場合には、前記第一載置部に載置されている前記情報記録媒体が前記第一情報記録媒体であると識別する情報読取装置。
【０１１０】
（５）によれば、第一載置部に載置されている情報記録媒体が第一情報記録媒体であるかどうかの識別の精度を高めることができる。
【０１１１】
（６）
（５）記載の情報読取装置であって、
前記媒体識別部は、前記第二載置部の前記アンテナによって前記第一情報記録媒体の前記アンテナとの通信が開始された場合には、前記画像データに基づく前記識別の処理を行わない情報読取装置。
【０１１２】
（６）によれば、第二載置部のアンテナによって第一情報記録媒体のアンテナとの通信が開始された場合には、画像データに基づく識別の処理が行われないため、識別を効率よく且つ高速に行うことができる。
【０１１３】
（７）
（１）から（６）のいずれか１つに記載の情報読取装置であって、
前記識別用領域は、前記挿入方向に直交する方向に沿って設定された直線状の領域である情報読取装置。
【０１１４】
（７）によれば、画像データに基づく情報記録媒体の種類の識別の精度を向上させることができる。
【０１１５】
（８）
（７）記載の情報読取装置であって、
前記識別用領域の前記挿入方向に直交する前記方向の幅は、前記第一情報記録媒体の当該方向の幅よりも広い情報読取装置。
【０１１６】
（８）によれば、画像データに基づく情報記録媒体の種類の識別の精度を向上させることができる。
【０１１７】
（９）
（１）から（８）のいずれか１つに記載の情報読取装置であって、
前記第一載置部に載置された前記情報記録媒体を前記撮像素子によって撮像し、当該撮像によって前記撮像素子から出力される画像データに含まれる情報を読み取り結果として出力する情報読取装置。
【０１１８】
（９）によれば、情報読み取りのための撮像素子によって識別用領域の画像データを取得することができる。このため、情報の読み取りと情報記録媒体の識別を並行して行うことができ、情報の読み取りの高速化が可能となる。
【０１１９】
（１０）
冊子状の第一情報記録媒体とカード状の第二情報記録媒体とを含む情報記録媒体が挿入される媒体挿入部を有し、前記媒体挿入部に挿入された前記情報記録媒体から光学的に情報を読み取る情報読取装置の制御方法であって、
前記媒体挿入部は、前記第一情報記録媒体の見開き面の一方の面及び前記第二情報記録媒体の全体のいずれか一方が載置される第一載置部を有し、
前記第一載置部における前記情報記録媒体の挿入方向の幅は、前記第二情報記録媒体の前記挿入方向の幅よりも広く、
前記第一載置部に前記第一情報記録媒体の前記一方の面が載置された状態にて当該第一情報記録媒体の前記見開き面の境界部側に位置する前記第一載置部の端部、に設定される識別用領域を少なくとも撮像する撮像ステップと、
前記撮像ステップによって得られる前記識別用領域の画像データに基づいて前記識別用領域に物体が重なっているか否かを判定し、当該判定の結果に基づいて、前記第一載置部に載置されている前記情報記録媒体が前記第一情報記録媒体と前記第二情報記録媒体のどちらであるかを識別する媒体識別ステップと、を備える情報読取装置の制御方法。
【０１２０】
（１０）によれば、例えば、第一載置部に載置された情報記録媒体の全体を撮像して得られる画像を解析してその情報記録媒体の識別を行うといった複雑な処理を行うことなく、識別用領域の画像データの解析だけで、情報記録媒体の識別が可能となる。このため、情報記録媒体の識別を簡易に行うことができる。また、例えば、画像データの取得に用いる撮像素子を、情報記録媒体からの情報の読み取りためにも使用することで、情報読取装置のコストを下げることもできる。
【符号の説明】
【０１２１】
１  情報読取装置
２  情報記録媒体
２Ａ  パスポート
２ｓ  表紙
２Ｂ  ＩＤカード
３  ガラス板
３Ａ  識別用領域
８  撮像素子
１６  媒体挿入部
４０  システム制御部
【図１】
2019193090.tif 000003
【図２】
2019193090.tif 000004
【図３】
2019193090.tif 000005
【図４】
2019193090.tif 000006
【図５】
2019193090.tif 000007
【図６】
2019193090.tif 000008
【図７】
2019193090.tif 000009
【図８】
2019193090.tif 000010
【図９】
2019193090.tif 000011
【図１０】
2019193090.tif 000012
【図１１】
2019193090.tif 000013
【図１２】
2019193090.tif 000014
【図１３】
2019193090.tif 000015
【図１４】
2019193090.tif 000016
【図１５】
2019193090.tif 000017
【図１６】
2019193090.tif 000018
【図１７】
2019193090.tif 000019